(57)【特許請求の範囲】
【請求項１】
上下にそれぞれ矩形の開口を有し、これら各開口は、互いに平行な２つの第１の開口縁と、これら２つの第１の開口縁と直交し、互いに平行な２つの第２の開口縁とを有する本体部と、
前記上下の開口のうち下側の開口の前記２つの第１の開口縁にそれぞれ連なり、第１の開口縁に沿って折り曲げられて、前記下側の開口を閉じる２つの矩形状の第１のフラップと、
これら２つの第１のフラップそれぞれにおいて、第１の開口縁の両外側からそれぞれ内側に向かって形成され、第１の開口縁側に凸である合計４つの円弧状差し込み部と、
前記下側の開口において前記２つの第２の開口縁にそれぞれ連なり、第２の開口縁に沿って折り曲げられて、２つの第１のフラップの上側に重なっている矩形状であって、これら矩形状の先端が前記円弧状挿し込み部の内方端部付近まで第２の開口縁から平坦に伸び、前記先端の両端が前記各円弧状差し込み部に挿入されて、第１のフラップの下側に進入している第２のフラップとを、
具備し
前記円弧状差し込み部が、ほぼ１／４円に形成され、
前記各円弧状差し込み部の前記内側端部に、各係止部が、第１の開口縁に平行に前記第１のフラップの中央側に向かって直線状に前記第１のフラップを切り込むことによって形成され、前記係止部に係合する各係合部が、第２のフラップにおける前記各係止部に対応する前記先端の位置を前記第２の開口縁に向かって垂直に直線状に切り込むことによって形成されている
箱。
【発明の詳細な説明】
【技術分野】
【０００１】
本発明は、箱に関し、特に、隣接する２つのフラップのうち一方を他方に差し込んで固定するものに関する。
【背景技術】
【０００２】
従来、上記のようなフラップを備えた箱には、例えば特許文献１に開示されているものがある。特許文献１に開示されている技術では、段ボール箱の隣接する２つのフラップの一方に凸字状の切り込みを形成して、差し込み口とする。この一方のフラップを折り曲げた状態で、その上に隣接する他方のフラップを重ねたとき、凸字状の切り込みに対応する位置に、切り込みに対応する大きさの凸字状の差し込み部を形成するように、他方のフラップに２つの切り込みを形成してある。一方のフラップを折り曲げて、その上に他方のフラップを折り曲げて重ね、凸字状の差し込み部を凸字状の差し込み口に挿入し、互いの肩部を係合させて、２つのフラップを固定している。
【０００３】
【特許文献１】特開２００７−２２５６２号公報
【発明の開示】
【発明が解決しようとする課題】
【０００４】
特許文献１の箱では、差し込み口に差し込み部を差し込む際に、差し込み部を折り曲げて差し込まねばならず、差し込み作業を円滑に行うことができなかった。また、差し込んだ後は、差し込み口と差し込み部との両肩部の係合によって固定されているので、箱の内部に重量物を収容した場合、この係合している部分に重量が集中し、破損しやすくなる。
【０００５】
本発明は、組み立てが容易で且つ破損しにくい箱を提供することを目的とする。
【課題を解決するための手段】
【０００６】
本発明の一態様の箱は、本体部を有している。この本体部は、上下にそれぞれ矩形の開口を有する枠状のもので、例えば段ボールのような紙製である。この本体部の上下２つの開口は、互いに平行な２つの第１の開口縁と、これら２つの第１の開口縁と直交し、互いに平行な２つの第２の開口縁とを有している。２つの開口のうち下側の開口の第１開口縁にそれぞれ連なって、２つの矩形状の第１のフラップが形成されている。これら第１のフラップは、第１開口縁に沿って折り曲げられることによって、前記下側の開口を閉じる。これら２つの第１のフラップそれぞれにおいて、第１の開口縁の両外側からそれぞれ内側に向かって合計４つの円弧状差し込み口が形成されている。これら４つの円弧状差し込み口は、第１の開口縁側に凸である。前記一方の開口における２つの第２の開口縁に連なって、第２のフラップが形成されている。これら２つの第２のフラップは、第２の開口縁に沿って折り曲げれて、２つの第１のフラップの上側に重なる矩形状である。これら矩形状の先端が前記円弧状挿し込み部の内方端部付近まで第２の開口縁から平坦に伸び、前記先端の両端が前記各円弧状差し込み口に挿入されて、第１のフラップの下側に進入している。
【０００７】
この態様の箱では、円弧状の差し込み口に、第２のフラップの両端の先端を挿入するだけでよいので、組み立てが容易に行える。更に、第２のフラップを差し込み口に挿入した後には、第２のフラップの両端の先端の上面が、第１のフラップの下面に面接触しているので、両者の摩擦によって強固に固定され、自動的に第１のフラップに対する第２のフラップの固定が解除されることがない。しかも、箱の内部に重量物を収容した場合でも、第１及び第２のフラップの面接触している部分全体に重量が係り、特定の箇所だけに重量が係らないので、破損しにくい。
【０００８】
前記円弧状差し込み部を、ほぼ１／４円に形成してある。このように構成すると、第２のフラップの差し込み部への挿入を容易に行うことができる。
【０００９】
また、前記各円弧状差し込み部の前記内側端部に、各係止部が、第１の開口縁に平行に前記第２のフラップの中央側に向かって直線状に前記第１のフラップを切り込むことによって形成され、前記各係止部に係合する各係合部が、第２のフラップにおける前記各係止部に対応する前記先端の位置を前記第２の開口縁に向かって垂直に直線状に切り込むことによって形成されている。このように構成すると、より強固に第１及び第２のフラップを固定することができる。
【発明の効果】
【００１０】
以上のように、本発明による箱は、組み立てが容易で、組み立てた後に自然にフラップが開くことが無く、また破損しにくい。
【発明を実施するための最良の形態】
【００１１】
本発明の一実施形態の箱は、例えば段ボール紙製で、図１（ａ）に示すように本体部２を有している。本体部２は、所定の間隔を隔てて平行に位置する同一の矩形、例えば長方形状の２つの側壁４ａ、４ｂを有している。これら側壁４ａ、４ｂそれぞれの両端に連なって端壁６ａ、６ｂが形成されている。端壁６ａ、６ｂも、同一の矩形、例えば長方形状で、互いに平行に、かつ側壁４ａ、４ｂと直交して位置する。即ち、側壁４ａ、４ｂは、端壁６ａ、６ｂと隣接している。この本体部２は、後述するように裁断された段ボール紙を折り曲げることによって形成される。
【００１２】
側壁４ａ、４ｂ、端壁６ａ、６ｂによって構成された本体部２の上下には、それぞれ矩形、例えば長方形状の開口が形成されている。これら２つの開口は、対向する２つの第１の開口縁、例えば長辺開口縁８ａ、８ｂ、１０ａ、１０ｂを側壁４ａ、４ｂの上下両端にそれぞれ有している。また、長辺開口縁８ａ、８ｂと直交し、かつ互いに対向する２つの第２の開口縁、例えば短辺開口縁１２ａ、１２ｂ、１４ａ、１４ｂが、端壁６ａ、６ｂの上下両端に形成されている。
【００１３】
長辺開口縁８ａ、８ｂに連ねて、第１のフラップ、例えば長辺フラップ１６ａ、１６ｂが形成されている。長辺フラップ１６ａ、１６ｂは、長辺開口縁８ａ、８ｂ、短辺開口縁１２ａ、１２ｂによって囲われた長方形状の開口を、長辺フラップ１６ａ、１６ｂによって被うことができる２つの長方形状に形成されている。これら長辺フラップ１６ａ、１６ｂは、図１（ｂ）に示すように、長辺開口８ａ、８ｂで折り曲げられて、上記のように開口を被っている。
【００１４】
長辺フラップ１６ａには、円弧状差し込み口１８ａ、１８ｂが形成され、長辺フラップ１６ｂには、円弧状差し込み口１８ｃ、１８ｄが形成されている。円弧状差し込み口１８ａ、１８ｂ、１８ｃ、１８ｄは、いずれも例えば同一径の１／４円状に長辺フラップ１６ａ、１６ｂを切り欠いて形成されている。円弧状差し込み口部１８ａ、１８ｂの一端は、長辺フラップ１６ａの両端側の長辺開口８ａの近傍に位置している。また、円弧状差し込み口１８ａ、１８ｂの他端は長辺フラップ８ａの中央側に、長辺開口８ａから離れて位置している。これら円弧状差し込み口１８ａ、１８ｂは、長辺開口８ａ側に凸に形成されている。なお、円弧状差し込み口１８ａ、１８ｂは、長辺フラップ１６ａにおいて長辺開口縁８ａの中央を通り長辺開口８ａに垂直な対称軸に対して線対称に形成されている。同様に、円弧状差し込み口１８ｃ、１８ｄも長辺フラップ１６ｂに形成されている。そして、円弧状差し込み口１８ａと１８ｃとは、図１（ｂ）に示すよう長辺フラップ１６ａ、１６ｂによって開口を閉じた状態において、これら長辺フラップ１６ａ、１６ｂ上において、短辺開口１２ａ、１２ｂの中央で、短辺開口１２ａ、１２ｂに垂直な対称軸に対して線対称に形成されている。同様に、円弧状差し込み口１８ｂ、１８ｄも、同じ対称軸に対して線対称に形成されている。
【００１５】
なお、円弧状差し込み口１８ａ、１８ｂ、１８ｃ、１８ｄの他端側端部には、それぞれ開口長辺８ａ、８ｂに平行で、それぞれ長辺フラップ１６ａ、１６ｂの中央側を向いた係止部２０ａ、２０ｂ、２０ｃ、２０ｄが切り込みことによって形成されている。
【００１６】
短辺開口縁１２ａ、１２ｂに連ねて、第２のフラップ、例えば短辺フラップ２２ａ、２２ｂが形成されている。これら短辺フラップ２２ａ、２２ｂは、矩形、例えば長方形状に形成され、短辺開口縁１２ａ、１２ｂに沿って折り曲げられて、長辺フラップ１６ａ、１６ｂ上に重ねられる。短辺フラップ２２ａの短辺開口縁１２ａから先端までの長さは、図１（ｂ）に示すように長辺フラップ１６ａ、１６ｂを折り曲げた状態において短辺開口縁１２ａから係止部２０ｂ、２０ｄまでの距離にほぼ等しく形成されている。同様に、短辺フラップ２２ｂの短辺開口１２ｂから先端までの長さも、長辺フラップ１６ａ、１６ｂを折り曲げた状態において短辺開口縁１２ｂから係止部２０ａ、２０ｃまでの距離にほぼ等しく形成されている。短縁フラップ２２ａ、２２ｂの短辺開口縁１２ａ、１２ｂと反対側の縁部、即ち先端側の縁部の両端には、それぞれアール状部２３ａ、２３ｂ、２３ｃ、２３ｄが形成されている。
【００１７】
短辺フラップ２２ａの先端側には係合部２４ａ、２４ｂが、短辺フラップ２２ｂの先端側には係合部２４ｃ、２４ｄが、それぞれ形成されている。これら係合部２４ａ、２４ｂ、２４ｃ、２４ｄは、短辺フラップ２２ａ、２２ｂをほぼ矩形に切り込むことによって形成されている短辺フラップ２２ａの長辺開口縁８ａ側の端部から。係合部２４ａまでの距離は、長辺フラップ１６ａにおける長辺開口縁８ａから係止部２０ｂまでの距離にほぼ等しく形成され、同様に、短辺フラップ２２ａの長辺開口縁８ｂ側の端部から係合部２４ｂまでの距離は、長辺フラップ８ｂにおける長辺開口縁８ｂから係止部２０ｄまでの距離にほぼ等しく形成され、短辺フラップ２２ｂの長辺開口縁８ａ側の端部から係合部２４ｃまでの距離は、長辺フラップ１６ａにおける長辺開口縁８ａから係止部２０ａまでの距離にほぼ等しく形成され、同様に、短辺フラップ２２ｂの長辺開口縁８ｂ側の端部から係合部２４ｄまでの距離は、長辺フラップ１６ｂにおける長辺開口縁８ｂから係止部２０ｃまでの距離にほぼ等しく形成されている。
【００１８】
図１（ｃ）に示すように、短辺フラップ２２ａ、２２ｂを短辺開口１２ａ、１２ｂに沿って折り曲げながら、短辺フラップ２２ａ、２２ｂの中途を幾分本体部２側と反対側に折り曲げて、短辺フラップ２２ａ、２２ｂの先端の両側をそれぞれ差し込み口１８ａ、１８ｂ、１８ｃ、１８ｄに挿入する。これによって、係合部２４ａが係止部２０ｂに係合し、係合部２４ｂが係止部２０ｄに係合し、係合部２４ｃが係止部２０ａに係合し、係合部２４ｄが係止部２０ｃに係合する。差し込み口が円弧状の差し込み口１８ａ、１８ｂ、１８ｃ、１８ｄのように円弧状に形成され、かつ短辺フラップ２２ａ、２２ｂの先端部両端にはアール状部２３ａ、２３ｂ、２３ｃ、２３ｄが設けられているので、差し込み口１８ａ、１８ｂ、１８ｃ、１８ｄに対する短辺フラップ２２ａ、２２ｂの先端両側部の挿入が、なんら引っかかるものも無く円滑に行われる。また、挿入が行われた後には、短辺フラップ２２ａ、２２ｂの先端両側部が円弧状の差し込み口１８ａ、１８ｂ、１８ｃ、１８ｄより長辺フラップ１６ａ、１６ｂの裏面に面接触し、大きな摩擦によって短辺フラップ２２ａ、２２ｂが図１（ｂ）に示す位置に戻ろうとすることを阻止する。その上に、各係止部２０ａ乃至２０ｄに係合部２４ａ乃至２４ｄが係合しているので、より確実に短辺フラップ２２ａ、２２ｂが元の状態に戻ろうとするのを阻止する。
【００１９】
このようにして段ボール箱の例えば底部が形成される。従って、段ボール箱内に重量物を収容した場合、その重量は、底部を構成している長辺フラップ１６ａ、１６ｂや短辺フラップ２２ａ、２２ｂに係るが、その重量によって底部が抜けることを防止できる。
【００２０】
本体部２の他方の開口の長辺開口縁１０ａ、１０ｂ、短辺開口縁１４ａ、１４ｂにそれぞれ連ねて、長辺蓋フラップ２６ａ、２６ｂ、短辺蓋フラップ２８ａ、２８ｂが一体に形成されている。これらは、図１（ｄ）に示すように、それぞれ矩形、例えば長方形状に形成され、長辺開口縁１０ａ、１０ｂ、短辺開口縁１４ａ、１４ｂに沿って折り曲げられ、蓋を構成している。なお、図１では、長辺蓋フラップ２６ａ、２６ｂ、短辺蓋フラップ２８ａ、２８ｂを最後に折曲げるように示したが、一番最初に折曲げることもできる。
【００２１】
このような段ボール箱は、図２に示すように段ボール紙を裁断したものを利用して形成される。図２において、上述した各構成に対応する部分には同一符号を付してある。なお、符号３０で示すのは、この裁断された段ボール紙を折り曲げて本体部２を作成する際に、折り曲げた段ボールを接着するための糊代部分である。また、長辺フラップ１６ａ、１６ｂを折り曲げて開口を閉じたとき、隙間が開かないように、長辺フラップ１６ａ、１６ｂの先端部には、それぞれ重なり代３２ａ、３２ｂが形成されている。また、係合部２４ａ、２４ｂ、２４ｃ、２４ｄの一方の縁の先端は、係止部２０ａ、２０ｂ、２０ｃ、２０ｄへの挿入を容易にするために、円弧状に形成されている。また、端壁６ａ、６ｂには、この箱を運搬する作業員が指をかけるための長孔３４ａ、３４ｂが形成されている。
【００２２】
上記の実施形態では、段ボール箱は、直方体状のものを示したが、立方体状に形成することもできる。また、上記の実施形態では、円弧状差し込み口を利用したフラップの固定は、本体部２の一方の開口のみに行ったが、他方の開口も同様に円弧状の差し込み口を利用して固定することもできる。上記の実施形態では、段ボール紙によって、箱を形成したが、材料としては、段ボール紙以外の材質のもの、例えば樹脂や金属を使用することもできる。
【図面の簡単な説明】
【００２３】
【図１】本発明の１実施形態の段ボール箱の組み立て過程を示す図である。
【図２】図１の段ボール箱の展開図である。
【符号の説明】
【００２４】
２  本体部
４ａ、４ｂ  側壁
６ａ  ６ｂ  端壁
８ａ  ８ｂ  長辺開口縁（第１の開口縁）
１２ａ  １２ｂ  短辺開口縁（第２の開口縁）
１６ａ  １６ｂ  長辺フラップ（第１のフラップ）
１８ａ乃至１８ｄ  円弧状差し込み部
２２ａ、２２ｂ  短辺フラップ（第２のフラップ）
【図１】
0005021570.tif 000002
【図２】
0005021570.tif 000003